(57)【特許請求の範囲】
【請求項１】
原稿トレーに積載された原稿を順次給送する原稿給送手段と、
前記原稿給送手段によって給送された原稿を露光して読み取る画像読取手段と、
電磁波を用いて原稿中に混載された非接触情報媒体とデータの送受信を行うデータ送受信手段と、
前記データ送受信手段により受信された前記非接触情報媒体の情報に応じて、前記画像読取手段で読み取った画像に対する処理を行う画像処理手段と、を有し、
前記非接触情報媒体の情報は、ユーザにより操作パネルで設定され、前記データ送受信手段により前記非接触情報媒体に送信された情報であることを特徴とする画像形成装置。
【請求項２】
原稿トレー上に積載された原稿が前記非接触情報媒体のみだった場合、画像読取動作を行わず、警告表示を出す画像読取禁止手段を有することを特徴とする請求項１記載の画像形成装置。
【発明の詳細な説明】
【０００１】
【発明の属する技術分野】
本発明は電磁波を用いてデータの送受信を行う非接触型情報媒体、特に非接触メモリカードを用い、その情報を基に機器を制御するよう構成した画像形成装置に関するものである。
【０００２】
【従来の技術】
従来、大量の原稿を原稿トレーに積載し、順次給送して読み取る画像読取装置において、原稿に対する処理（例えば縮小レイアウトとか、綴じ代モード）を設定する際には、マークシートが用いられてきた。
【０００３】
原稿に対して施したい処理を、マークシートに記入して、そのマークシートを原稿に混載することにより、マークシートを読み取った画像読取装置が処理を判断して、自動的に原稿に対する画像処理を行うものである。
【０００４】
この方法の利点は、
▲１▼いちいち操作パネルからキー入力で処理を設定しなくてよいこと
▲２▼積載した原稿の途中から処理を変えたい時、変えたい場所にマークシートを積載し、異なる処理を記入しておけばよいこと
があげられる。
【０００５】
【発明が解決しようとする課題】
しかしながら、このマークシート方式は以下の欠点、課題がある。
【０００６】
▲１▼マークシート内のどの部分にチェックが付いているかマークシートを読み取って初めて判断できる。すなわち原稿給送装置から給送されたシートが、マークシートなのか原稿なのかを判断しながら画像読み取りを行い、マークシートだと認識した際にそこでまたモードの設定が始まるため、プロダクティビティーが下がってしまう。
【０００７】
▲２▼マークシート自体は紙原稿の為、劣化していく。何度も使用しているうちに汚れたり、破損したりして、読み取った際に誤認識することがある。
【０００８】
そこで本発明では、電磁波を用いてデータの送受信を行う非接触型情報媒体、特に非接触メモリカードを、上述したマークシートに変わって用いることで上記問題点を解決する画像形成装置を提供することを目的とする。
【０００９】
【課題を解決するための手段】
非接触型情報媒体の電力の供給や信号の送受信を行う手段としては、光や電磁結合それに電波などが提案されているが、コストや消費電力などを考慮して電磁結合方式が実用化され始めた。
【００１０】
原稿に対して施したい処理情報をこの非接触型情報媒体（非接触メモリカード）に予め書き込んでおき、原稿積載トレーに原稿とともに混載すれば、原稿を給送する前に施したい処理が設定できることになる。
【００１１】
また、施したい処理情報は電気信号であり、直接マークシートのチェックを画像として読み取って判断する方式と異なり、劣化することがない。
【００１２】
すなわち、本発明の技術内容は以下の構成を備えることにより前記課題を解決できた。
【００１３】
（１）原稿トレーに積載された原稿を順次給送する原稿給送手段と、前記原稿給送手段によって給送された原稿を露光して読み取る画像読取手段と、電磁波を用いて原稿中に混載された非接触情報媒体とデータの送受信を行うデータ送受信手段と、前記データ送受信手段により受信された前記非接触情報媒体の情報に応じて、前記画像読取手段で読み取った画像に対する処理を行う画像処理手段と、を有し、前記非接触情報媒体の情報は、ユーザにより操作パネルで設定され、前記データ送受信手段により前記非接触情報媒体に送信された情報であることを特徴とする画像形成装置。
（２）原稿トレー上に積載された原稿が前記非接触情報媒体のみだった場合、画像読取動作を行わず、警告表示を出す画像読取禁止手段を有することを特徴とする前記（１）記載の画像形成装置。
【００１７】
【発明の実施の形態】
図１は原稿に対する処理情報を格納している非接触メモリカードである。一般的に使われている、非接触メモリカードは図１（ａ）に示すように樹脂材料などから構成された基台１１００の中に、ループ上に構成されたアンテナ（コイル）部１１０２とこのアンテナ（コイル）部１１０２に接続された集積回路１１０１が埋め込まれた構成となっている。本発明では、このメモリカードを原稿中に混載して使用する為、基台１１００は原稿と同じ薄さ、硬さである必要がある。したがってＰＥＴ（ポリエチレンテレフタレート）のような材質を用いて１０〜数十μｍ程度のフィルム状に成形したものである。カードリーダ１３００などから発生した外部磁界がループアンテナ（コイル）部１１０２に入り込むと、その外部磁界によってループアンテナ（コイル）部１１０２に誘導電流が流れ、その誘導電流によって、集積回路１１０１のメモリ内のデータの変換や書き換えまたは消去などを行うとともに、その誘導電流は集積回路１１０１の電源ともなりうるものである。
【００１８】
図１（ｂ）は非接触メモリカードの内部構成を示すブロック図で、主に集積回路１１０１の内部ブロック図を示すものである。カードリーダ１３００から送信される信号をループアンテナ（コイル）部１１０２で受信し、電源１２０３で集積回路１１０１が動作するための電源を生成するとともに、復調器１２０２で受信したデータを復調し、メモリ回路１２０４のデータの変換や書き換えまたは消去などを行う。またメモリ回路１２０４から読み出されるデータは変調器１２０１で変調されてカードリーダ１３００側へ送信される。
【００１９】
図２はカードリーダ１３００の構成を示すブロック図で、プロセッサ１３０１の制御信号に基づき変調器１３０２で変調された信号を分配器１３０４を介してアンテナ１３０５より送信するとともにアンテナ１３０５より受信した信号は分配器１３０４を介して復調器１３０３で復調されプロセッサ１３０１に送られる。
【００２０】
図３は本発明の読取装置を利用したディジタル複写機の例である。
【００２１】
原稿給送装置２０１の原稿載置部２０３に置かれた原稿は、給紙ローラ２０４によって分離、給紙され、搬送ガイド２０６を経由して、おもて面読取装置２０２に搬送される。さらに搬送ベルト２０８によって一定速度で搬送され、排紙ローラ２０５によって機外に排出される。この間、読取装置２０２の読取位置で照明系２０９で照明された原稿のおもて面の画像は反射ミラー２１０、２１１、２１２からなる光学系によって画像読取部２１３で画像信号に変換される。画像読取部２１３はレンズ、光電変換素子であるＣＣＤとＣＣＤの駆動回路等からなる。一方原稿裏面の画像は画像読取部２０７によって画像信号に変換される。原稿の読み取りは原稿を一定速度で搬送し読取系は停止して読み取る流し読みモードと、原稿を読取装置２０２の原稿ガラス台２１４上に載置して照明系２０９およびミラー２１０、２１１、２１２を一定速度で移動して読み取る固定モードがある。両面読取時には両面とも流し読みモードで読み取られる。片面時は、固定モードと流し読みモードのどちらかで読む事ができる。通常、シート状の原稿は流し読みモードで、綴じられた原稿は固定モードで読み取られる。
【００２２】
画像信号は、画像処理部（図５）で処理された後ページ単位で画像再生装置３０１で記録紙に再生される。画像信号は半導体レーザ（図示せず）などによって光信号に変調される。
【００２３】
変調されたレーザ光は、ポリゴンミラーによる光走査装置３１１、ミラー３１２、３１３を経由して、帯電器３１０によって表面を一様に帯電された感光ドラム３０９上に露光され、静電潜像を形成する。静電潜像は現像器３１４のトナーによって現像され、転写分離器３１５によってトナー像が記録紙に転写される。記録紙は紙カセット３０２および３０４に収納されている。紙カセット３０２からの記録紙は給紙ローラ３０３によって給紙され、搬送ローラ３０６によって搬送され、レジストローラ３０８によって画像とのタイミングを調整して、感光ドラムの転写位置に搬送される。一方紙カセット３０４の記録紙は給紙ローラ３０５によって給紙され、搬送ローラ３０７、３０６によって搬送され、レジストローラ３０８によって画像とのタイミングを調整して、感光ドラムの転写位置に搬送される。トナー像が転写された記録紙は搬送ベルト３１７で定着器３１８に搬送され記録紙上のトナーが定着される。
【００２４】
片面モードが設定されている時は、定着器３１８からの記録紙は定着排紙ローラ３１９および排紙ローラ３２４によって機外に排紙される。両面モードが設定されている場合は、記録紙は定着排紙ローラ３１９から搬送ローラ３２０を経由して反転ローラ３２１によって反転パス３２５へ搬送される。さらに、記録紙の後端が両面パス３２６との合流ポイントを通過した直後に反転ローラ３２１の回転を反転する事で記録紙は反転し両面パス３２６へと搬送される。両面パスに搬送された記録紙はローラ３２２、３２３によって搬送され、再び搬送ローラ３０６を経由してレジストローラ３０８で裏面画像とのタイミング調整された後、転写、定着され機外に排出される。
【００２５】
図４は本発明の画像形成装置におけるコントローラ部のブロック図である。
【００２６】
１０１は画像処理装置全体の制御を行うＣＰＵであり、装置本体の制御手順（制御プログラム）を記憶した読取専用メモリ１０３（ＲＯＭ）からプログラムを順次読み取り、実行する。
【００２７】
ＣＰＵ１０１のアドレスバスおよびデータバスは１０２のバスドライバー回路、アドレスデコーダ回路をへて各負荷に接続されている。また、１０４は入力データの記憶や作業用記憶領域等として用いる主記憶装置であるところのランダムアクセスメモリ（ＲＡＭ）である。
【００２８】
１０５は画像データ用ハードディスクで、ＣＣＤユニット（画像読取部）２０７、２１３から入力され、画像処理されたデータが記憶される。また、ネットワーク等に接続されている場合なども画像データを記憶する。
【００２９】
１０６はＩ／Ｏインターフェースであり、操作者がキー入力を行い、装置の状態等を液晶、ＬＥＤを用いて表示する操作パネル１５１や給紙系、搬送系、光学系の駆動を行うモーター類１０７、クラッチ類１０８、ソレノイド類１０９、また、搬送される用紙を検知するための紙検知センサ類１１０等の装置の各負荷に接続される。現像器３１４には現像器３１４内のトナー量を検知するトナーセンサ１１１が配置されており、その出力信号がＩ／Ｏポート１０６に入力される。さらに、各負荷のホームポジション、ドアの開閉状態等を検知するためのスイッチ類１１２の信号もＩ／Ｏポート１０６に入力される。１１３は高圧ユニットであり、ＣＰＵ１０１の指示に従って、前述の１次帯電器、現像器３１４、転写前帯電器、転写帯電器、分離帯電器へ高圧を出力する。
【００３０】
また温湿度センサからの出力は、直接ＣＰＵ１０１のアナログポートに接続されており、Ａ／Ｄ変換されてディジタル値で演算される。温湿度センサからは温度を表す電圧値と、湿度を表す電圧値がＣＰＵ１０１のアナログポートに入力される。
【００３１】
１１５は画像処理部であり、ＣＣＤユニット（画像読取部）２０７、２１３から出力された画像信号が入力され、後述する画像処理を行い、画像データに従ってレーザユニット１１７の制御信号を出力する。
【００３２】
レーザユニッ１１７から出力されるレーザ光は感光ドラム３０９を照射し、露光するとともに非画像領域において受光センサであるところのビーム検知センサ１１４によって発光状態が検知され、その出力信号がＩ／Ｏポート１０６に入力される。
【００３３】
図５は本発明の画像形成装置におけるコントローラ部内の画像処理部１１５のブロック図である。
【００３４】
ＣＣＤにより電気信号に変換された画像信号は、まずシェーディング回路４０１によって画素間のばらつきの補正を行った後、変倍回路４０２において、縮小コピー時はデータの間引き処理を行い、拡大コピー時はデータの補間を行う。次に、エッジ強調回路４０３において、例えば５×５のウインドウで２次微分を行い、画像のエッジを強調する。この画像データは輝度データであるのでプリンタに出力するための濃度データに変換するためγ変換回路４０４でテーブルサーチによりデータ変換を行う。濃度データに変換された画像データは２値化処理部４０５へ入力される。ここでは例えばＥＤ法により多値データを２値データに変換する。２値に変換された画像データは合成回路４０７に入力される。合成回路４０７では、入力された画像データと例えばハードディスクにより構成される画像用メモリ４１０内の画像データを選択的に出力する、またはＯＲをとって出力する。この画像用メモリ４１０に対するリードライト制御はメモリ制御部４０９で行い、画像を回転させる場合はメモリ内の画像データの読み出しアドレスを制御することで行う。これらの画像データはレーザの発光強度の信号に変換するためＰＷＭ回路４１１へ入力され、画像の濃度に従ったパルス幅をレーザユニットに対して出力する。
【００３５】
次に図６を用いて本実施例の原稿給送装置における、非接触メモリカードとのデータ送受信について述べる。図６は図３でも説明した原稿給送装置２０１の拡大図である。図６の原稿載置部２０３内には図２を用いて説明したカードリーダ１３００が装着されている。
【００３６】
原稿内には図１（ａ）、（ｂ）で説明した非接触メモリカードが混載されている。
【００３７】
原稿束が原稿載置部２０３に積載されるとカードリーダ１３００はメモリカード内に書き込まれた画像編集処理内容を読み取り、画像処理部１１５に伝達する。
【００３８】
また、原稿載置部２０３内に非接触メモリカードを積載し、操作パネル１５１で設定した編集モードを非接触メモリカードに記憶させる場合は、カードリーダ１３００側から操作パネル１５１での設定を送信し、非接触メモリカード内のメモリ回路１２０４に設定を書き込む。
【００３９】
【発明の効果】
以上説明したように、本発明によれば、電磁波を用いてデータの送受信を行う非接触型情報媒体、特に非接触メモリカードを、上述したマークシートに変わって用いることで原稿に対して施したい処理情報をこの非接触型情報媒体（非接触メモリカード）に予め書き込んでおき、原稿積載トレーに原稿とともに混載すれば、原稿を給送する前に施したい処理が設定できることになり、プロダクティビティーを落とさず容易に画像編集を行うことが可能となる。
【００４０】
また、施したい処理情報は電気信号であり、直接マークシートのチェックを画像として読み取って判断する方式と異なり、劣化することがない。
【図面の簡単な説明】
【図１】  （ａ）は、本発明の非接触メモリカードの一実施形態における構成を示す図、（ｂ）は、非接触メモリカードの内部構成を示すブロック図
【図２】  本発明のカードリーダの一実施形態における構成を示す図
【図３】  本発明の画像形成装置の構成を示す断面図
【図４】  本発明の画像形成装置の制御をつかさどるコントローラ部分のブロック図
【図５】  本発明の画像形成装置の画像処理部のブロック図
【図６】  原稿給送装置拡大図
【符号の説明】
１０１  ＣＰＵ
１０２  アドレスバスおよびデータバス
１０３  読取専用メモリ（ＲＯＭ）
１０４  ランダムアクセスメモリ（ＲＡＭ）
１０５  ハードディスク
１０６  Ｉ／Ｏインターフェース
１０７  モーター類
１０８  クラッチ類
１０９  ソレノイド類
１１０  紙検知センサ類
１１１  トナーセンサ
１１２  スイッチ類
１１３  高圧ユニット
１１５  画像処理部
１１７  レーザユニット
１５１  操作パネル
２０１  原稿給送装置
２０２  読取装置
２０３  原稿載置部
２０４  給紙ローラ
２０５  排紙ローラ
２０６  搬送ガイド
２０７、２１３  画像読取部
２０８  搬送ベルト
２０９  照明系
２１０、２１１、２１２  反射ミラー
２１４  原稿ガラス台
３０１  画像再生装置
３０２、３０４  紙カセット
３０３  給紙ローラ
３０５  給紙ローラ
３０６  搬送ローラ
３０７、３０６  搬送ローラ
３０８  レジストローラ
３０９  感光ドラム
３１０  帯電器
３１１  光走査装置
３１２、３１３  ミラー
３１４  現像器
３１５  転写分離器
３１７  搬送ベルト
３１８  定着器
３１９  定着排紙ローラ
３２０  搬送ローラ
３２１  反転ローラ
３２２、３２３  ローラ
３２４  排紙ローラ
３２５  反転パス
３２６  両面パス
４０１  シェーディング回路
４０２  変倍回路
４０３  エッジ強調回路
４０４  γ変換回路
４０５  ２値化処理部
４１０  画像用メモリ
４０８  ＩＤＥコントローラ
１１００  基台
１１０１  集積回路
１１０２  アンテナ（コイル）部
１２０１  変調器
１２０２  復調器
１２０３  電源
１２０４  メモリ回路
１３００  カードリーダ
１３０１  プロセッサ
１３０２  変調器
１３０３  復調器
１３０４  分配器
１３０５  アンテナ
【図１】
0003826018.tif 000002
【図２】
0003826018.tif 000003
【図３】
0003826018.tif 000004
【図４】
0003826018.tif 000005
【図５】
0003826018.tif 000006
【図６】
0003826018.tif 000007